【手続補正書】
【提出日】平成19年5月21日(2007.5.21)
【手続補正１】
【補正対象書類名】明細書
【補正対象項目名】特許請求の範囲
【補正方法】変更
【補正の内容】
【特許請求の範囲】
【請求項１】  電子商取引処理の代行制御用方法に於いて、
代行電子システム内の少なくとも１つの代行勘定をフアンドする過程と、
該代行電子システムを通して少なくとも１つの電子商取引システムにアクセス
する過程と、
該少なくとも１つの電子商取引システムから購入用に少なくとも１つの品目を
選択する過程と、
該代行電子システム内の少なくとも１つのクレデイット勘定を選択する過程と
、
該少なくとも１つの電子商取引システム上で少なくとも１つの購入処理を完了
するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする電子商取引処理の代行制御用方法
。
【請求項２】  請求項１の方法が更に、少なくとも１つのフアンド源に関し
フロード検出を行う過程を具備することを特徴とする方法。
【請求項３】  請求項１の方法に於いて、フアンドする過程が少なくとも１
つのフアンド源から該少なくとも１つの代行勘定にフアンドを入れる過程を備え
ており、該少なくとも１つのフアンド源はクレデイットカード、チェック、為替
、商品券、インセンチブ、オンライン電子通貨、現金自動預け払い機、そしてス
トアドバリューカードから成るグループから選択された少なくとも１つのフアン
ド源を有することを特徴とする方法。
【請求項４】  請求項３の方法に於いて、オンライン電子通貨を使用してフ
アンドする過程は、
複数の勘定の複数のオンライン電子通貨差引残高を決定する過程と、
該複数の勘定からのオンライン電子通貨の額を総計する過程とを備えることを
特徴とする方法。
【請求項５】  請求項１の方法に於いて、アクセスする過程は透明であるこ
とを特徴とする方法。
【請求項６】  請求項１の方法が更に、
該代行電子システムを通して完了された購入処理の記録を編集する過程と、
該編集された記録により順序付けられたマーチャントのランクの少なくとも１
つのリストを提示する過程とを具備することを特徴とする方法。
【請求項７】  請求項１の方法が更に、該少なくとも１つの電子商取引シス
テムから該代行電子システムを通して提供される情報を制御する過程を具備する
ことを特徴とする方法。
【請求項８】  請求項７の方法に於いて、該制御する過程は、
データ流れをモニターする過程と、
該少なくとも１つの電子商取引システムから転送されるデータ流れについてパ
ターン認識を行う過程と、
該データ流れのコンテントを決定する過程と、
該コンテントに応答して該少なくとも１つの電子商取引システムから提供され
る情報を制御する過程を備えることを特徴とする方法。
【請求項９】  請求項８の方法に於いて、制御する過程は、該データ流れ内
に追加的情報を挿入する過程と、該データ流れ内の情報を置換する過程と、該デ
ータ流れ内の情報をフイルターする過程と、そして該データ流れから情報を除去
する過程から成るグループから選択された少なくとも１つの動作を有することを
特徴とする方法。
【請求項１０】  請求項７の方法に於いて、該制御する過程は
ユーザーに、該ユーザーの実際の電子メールアドレスに対し写像された代行電
子メールアドレスを割り当てる過程と、
該実際の電子メールアドレスの要求に応答して該少なくとも１つの電子商取引
システムへ該代行電子メールアドレスを提供する過程と、
該少なくとも１つの電子商取引システムから受信された電子メールをフイルタ
ーしそして分類する過程とを備えており、該代行電子システムの微妙な情報は除
去され、そして該制御する過程は又、
該フイルターされた電子メールを該ユーザーの該実際の電子メールアドレスへ
送る過程を備えることを特徴とする方法。
【請求項１１】  請求項１の方法が更に、該少なくとも１つのクレデイット
勘定用の処理を調整する過程を具備しており、調整する過程は、
該少なくとも１つの代行勘定と少なくとも１つの対応する購入処理記録との少
なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とを備えることを特徴とする方法。
【請求項１２】  請求項１の方法に於いて、少なくとも１つの購入処理を完
了するために借りとなる額を決定する過程が、
該少なくとも１つの購入処理を完了するために借りとなる合計額を決定する過
程と、
クーポン、マーチャントインセンチブ、そして代行システムインセンチブから
成るグループから選択された適用可能なクレデイット値を決定する過程と、そし
て、
該借りとなる額を得るために該借りとなる合計額から該適用可能なクレデイッ
ト値を引き算する過程とを備えることを特徴とする方法。
【請求項１３】  請求項１の方法に於いて、少なくとも１つのクレデイット
勘定を選択する過程が該少なくとも１つのクレデイット勘定の該利用可能なクレ
デイットが該少なくとも１つの購入処理の購入額をカバーするのに充分であるか
どうかを決定する過程を備えることを特徴とする方法。
【請求項１４】  請求項１の方法に於いて、フアンドを振り替える過程が、
該少なくとも１つの代行勘定の差引残高が該借りとなる額をカバーするに充分
かどうかを決定する過程と、そして
もし該差引残高が充分でないならば、該少なくとも１つの代行勘定の差引残高
を増加する過程を備えており、該増加する過程は複数のフアンド源からフアンド
を受け、総計する過程を有することを特徴とする方法。
【請求項１５】  電子商取引処理の代行制御用システムが、
少なくとも１つのクライアントコンピユータと、少なくとも１つの金融システ
ムと、そして少なくとも１つのユーザー勘定を有する少なくとも１つのデータベ
ースとの間に接続された代行ウエブサイトと、
該少なくとも１つのデータベースと、該少なくともクライアントコンピユータ
と、そして少なくとも１つの電子マーチャントシステムとの間に接続された少な
くとも１つのプロキシサーバーとを具備してり、少なくとも１つの購入処理は該
少なくとも１つのプロキシサーバーを通して該少なくとも１つのクライアントブ
ラウザーと該少なくとも１つの電子マーチャントシステムとの上にサポートされ
ており、該少なくとも１つの購入処理用支払いは該少なくとも１つのユーザー勘
定からのフアンドをロードされた代行フアンド源を使用してフアンドされること
を特徴とする電子商取引処理の代行制御用システム。
【請求項１６】  少なくとも１つのクライアントコンピユータと少なくとも
１つの電子マーチャントシステムの間に接続されたデータベースと、代行ウエブ
サイトとを有する少なくとも１つの代行処理システムと、少なくとも１つの金融
システムと少なくとも１つの透明なプロキシサーバーとを具備する電子商取引処
理を制御する装置に於いて、該少なくとも１つの代行処理システムは、
該データベース内の少なくとも１つの代行勘定をフアンドし、
該少なくとも１つのクライアントコンピユータを使用して該少なくとも１つの
電子マーチャントシステムからの購入用品目の選択を可能にするために該少なく
とも１つの電子マーチャントシステムへアクセスし、
少なくとも１つの代行クレデイット勘定を選択し、
該少なくとも１つの電子マーチャントシステム上での少なくとも１つの購入処
理を完了するために借りとなる額を決定し、
該借りとなる額に等しいフアンドを該少なくとも１つの代行勘定から該少なく
とも１つの代行クレデイット勘定へ振り替え、そして
該少なくとも１つの代行クレデイット勘定を使用して該少なくとも１つの購入
処理を行うよう構成されていることを特徴とする電子商取引処理を制御するため
の装置。
【請求項１７】  処理システムで実行される時、該システムに電子商取引処
理の制御を行わせる実行可能な命令を有するコンピユータ読み出し可能な媒体に
於いて、該制御が、
代行電子システム内の少なくとも１つの代行勘定をフアンドする過程と、
該代行電子システムを通して少なくとも１つの電子商取引システムにアクセス
する過程と、
該少なくとも１つの電子商取引システムからの購入用に少なくとも１つの品目
を選択する過程と、
該代行電子システム内の少なくとも１つのクレデイット勘定を選択する過程と
、
該少なくとも１つの電子商取引システム上での少なくとも１つの購入処理を完
了するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする、処理システムで実行される時、
該システムに電子商取引処理の制御を行わせる実行可能な命令を有するコンピユ
ータ読み出し可能な媒体。
【請求項１８】  処理システムで実行される時、該システムに電子商取引処
理の制御をさせる実行可能な命令を含む電磁的媒体に於いて、該制御が、
代行電子システム内の少なくとも１つの代行勘定をフアンドする過程と、
該代行電子システムを通して少なくとも１つの電子商取引システムにアクセス
する過程と、
該少なくとも１つの電子商取引システムからの購入用に少なくとも１つの品目
を選択する過程と、
該代行電子システム内の少なくとも１つのクレデイット勘定を選択する過程と
、
該少なくとも１つの電子商取引システム上での少なくとも１つの購入処理を完
了するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする、処理システムで実行される時、
該システムに電子商取引処理の制御をさせる実行可能な命令を含む電磁的媒体。
【手続補正２】
【補正対象書類名】明細書
【補正対象項目名】０００９
【補正方法】変更
【補正の内容】
【０００９】
【詳細な説明】
ネットワークベースの電子商取引又は小売取引の代行制御の方法と装置が提供
されるが、そこではティーンエイジャー及び若い成人（young adults）の様な、
クレデイットカードを持たないか又はその資格がないどんな人にも、勘定を提供
された時、アマゾン（Amazon）またはバーンサンドノーブル（Barnes and 
Noble）の様なオンラインマーチャント電子的店頭（online merchant
electronic storefront）で買い物を可能にするワールドワイドウエブ
｛”ウエブ（web）”｝サイトが代行システムにより提供される。該勘定は個人的
に又はもう１つによりフアンドされ得る。この方法と装置の利点は多い。
【手続補正３】
【補正対象書類名】明細書
【補正対象項目名】００８９
【補正方法】変更
【補正の内容】
【００８９】
図２８−４４は実施例の該代行システムを使用するショッピングセッションを
図解する。図２８はオンラインマーチャントのアルフアベット順のリスト２８０
２を含む実施例のページ２８００である。該マーチャント名は、名前の選択が該
ユーザーを対応するマーチャントオンラインショッピングサイト又はウエブペー
ジへ導くように、作動させられる。この例では、該ユーザーはアイコン２８０４
を選択している。該マーチャントリストページ２８００は該ユーザーのユーザー
名と現在の代行システム勘定差引残高２８０８を有する代行ナビゲーションバー
２８０６を備える情報を表示する。該マーチャントリストページ２８００は又ク
ーポンへの電子的リンクを有する２８１０。
【手続補正４】
【補正対象書類名】明細書
【補正対象項目名】００９０
【補正方法】変更
【補正の内容】
【００９０】
該アイコン２８０４の選択に応答して、該ユーザーは該ショップイーオンライン
のウエブサイトへ導かれる。図２９は実施例の該代行システムを通して提示される
選択されたマーチャントサイトのウエブページ２９００である。該マーチャントウ
エブページ２９００は、該マーチャントウエブページ２９００が代行システムナビ
ゲーションバー２９０２と共に表示されるを除けば、もしそれらが該代行システム
を使用せずに該マーチャントウエブサイトへ直接進む場合にそれがあるであろうと
同じにユーザーに提示されるが、該実施例はそれに限定はされない。該代行システ
ムナビゲーションバーは該ユーザーに代行システム機能へのアクセスを提供する一
方該マーチャントウエブサイトを通りナビゲートしそしてそこから買い物すること
を提供する。この機能は他のマーチャント、勘定フアンド動作、勘定抄録情報、個
人情報、ヘルプ、ログアウト、そして該ユーザーのユーザー名と勘定差引残高の表
示へのアクセスを含む。該マーチャントウエブページの機能を使用してユーザーは、
彼等が興味のあるマーチャントサイトの特定領域又は商品２９０４、例えば、オー
スチンパワーズ（Austin Powers）を選択しナビゲートする。
【手続補正５】
【補正対象書類名】明細書
【補正対象項目名】０１２０
【補正方法】変更
【補正の内容】
【０１２０】
マーチャントウエブサーバーからのページの修正を考えると、マーチャントに
対して各ユニフオームリソースロケーター（Uniform Resource Locator）｛ユー
アールエル（URL）｝はドメイン名（domain name）を除けば同じに見えることを
注意する。該ドメイン名はそれに該代行ショッピングプロキシサーバーのドメイ
ン名を付加した。例えば、もしアクセスされた最終のユーアールエル（URL）が
”http://www.USPTO.gov/shopping/product/item.html,”であるなら、それは
下記の様に書き直される
"http://www.USPTO.gov.proxy.surrogate.com/shopping/product/item.html.”
。
従って、該ドメイン名proxy.surrogate.comは該代行ショッピングプロキシサー
バーのドメイン名である。結果として、該代行システムは該ドメイン名システム
（Domain Name System）｛デーエヌエス（DNS）｝ドメインproxy.surrogate.com
とそしてその下の全てのサブドメイン（subdomain）を所有する。この様である
から、*.proxy.surrogate.comは該代行プロキシサーバーへ戻る。
【手続補正６】
【補正対象書類名】明細書
【補正対象項目名】０１２９
【補正方法】変更
【補正の内容】
【０１２９】
代替えのプロキシ実施例は１つのプロキシサーバーデーエヌエス（proxy serv
er DNS）名を使用するが、代わりに該遠隔サーバー名を含むよう該ユーアールエ
ルのパス（path）を修正する。例えば、”http://www.USPTO.gov/dir/file.htm
l”の様なユーアールエルは”http://proxy.USPTO.gov /www.amazon.com/dir
/file.html”に修正される。この場合、該プロキシサーバーが該要求を受信する
と、該遠隔サーバー名は該パスの前（front of the path）から剥がされ得る。
この技術の特に強力な変形（variation）は該遠隔のホスト名を逆にして、複数
の"."'を複数の"/"'に変換することである。この技術を使用して、該ユーアール
エル”http://www.USPTO.gov/dir/file.html”は
”http://proxy.USPTO.gov/moc/nozama/www/dir/file.html”と書かれる。
該遠隔サーバー名は多数のパスセグメント（path segment）の様に見えるので、該ホ
スト名を抽出する過程を簡単化するために”^”のホスト名終了セグメント
（hostname termination segment）も挿入される。該最終ユーアールエルは
”http://proxy.USPTO.gov/moc/nozama/www/^/dir/file.html”と書か
れる。
【手続補正７】
【補正対象書類名】明細書
【補正対象項目名】０１３３
【補正方法】変更
【補正の内容】
【０１３３】
この技術を行う中で、プロキシされた（proxied）ページ上の複数ユーアール
エルは該遠隔サーバー名を含むよう修正される。与えられたページ上で、全ての
ユーアールエルは完全適格（すなわち”http://www.merchant.com/url”又は”/
/www.merchant.com/url”）、絶対的（すなわち”/path/file.html”）、又は相
対的（すなわち”path/file.html”）の何れかとして分類される。完全適格のユ
ーアールエル用には、該遠隔サーバー名は該ユーアールエルから抽出され、逆に
され（再び、複数の"/"'で複数の"."'を置き換える）、そして該プロキシのサー
バー名を前に付けられる。例えば、”http://www.USPTO.gov/dir/file.html”
は”http://proxy.USPTO.gov/moc/nozama/www/^/dir/file.html”に変換さ
れる。もし該ユーアールエルがグラフイカルの画像の様な２進のコンテントを指
すならば、該ユーアールエルは修正されずに残されるので該プロキシをバイパス
する。
【手続補正８】
【補正対象書類名】明細書
【補正対象項目名】０１３４
【補正方法】変更
【補正の内容】
【０１３４】
もし該ユーアールエルが絶対的であるなら、該遠隔サーバー名は、該ページが
代わりのデフオルト（default）の遠隔サーバーを指定出来る＜base href=""＞
タグを含んでない場合は、該ページがそこから来た遠隔サーバーであると仮定さ
れる。一旦該遠隔サーバーが確立されると、該絶対的ユーアールエルは、該プロ
キシサーバー名と該逆にされた遠隔サーバー名との組み合わせを前に付ける（pr
efixing）ことにより、完全適格のユーアールエルに変換される。例えば、”htt
p://www.USPTO.gov/...”からロードされたページ内の”/dir/file.html”は”
http://proxy.USPTO.gov/moc/nozama/www/^/dir/file.html”に変換される
。もし該ユーアールエルがグラフイカルな画像の様な２進のコンテントを指すな
らば、該デフオルトの遠隔サーバー名が修正されずに前に付けられるので該要求
は該プロキシをバイパスする。
【手続補正９】
【補正対象書類名】明細書
【補正対象項目名】０１８４
【補正方法】変更
【補正の内容】
【０１８４】
付属する図面は請求される発明の実施例を図解する。
本発明の好適な実施態様は次のとおりである。
１．電子商取引処理の代行制御用方法に於いて、
代行電子システム内の少なくとも１つの代行勘定をフアンドする過程と、
該代行電子システムを通して少なくとも１つの電子商取引システムにアクセス
する過程と、
該少なくとも１つの電子商取引システムから購入用に少なくとも１つの品目を
選択する過程と、
該代行電子システム内の少なくとも１つのクレデイット勘定を選択する過程と
、
該少なくとも１つの電子商取引システム上で少なくとも１つの購入処理を完了
するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする電子商取引処理の代行制御用方法
。
２．  上記１の方法が更に、少なくとも１つのフアンド源に関し
フロード検出を行う過程を具備することを特徴とする方法。
３．  上記１の方法に於いて、フアンドする過程が少なくとも１
つのフアンド源から該少なくとも１つの代行勘定にフアンドを入れる過程を備え
ており、該少なくとも１つのフアンド源はクレデイットカード、チェック、為替
、商品券、インセンチブ、オンライン電子通貨、現金自動預け払い機、そしてス
トアドバリューカードから成るグループから選択された少なくとも１つのフアン
ド源を有することを特徴とする方法。
４．  上記３の方法に於いて、オンライン電子通貨を使用してフ
アンドする過程は、
複数の勘定の複数のオンライン電子通貨差引残高を決定する過程と、
該複数の勘定からのオンライン電子通貨の額を総計する過程とを備えることを
特徴とする方法。
５．  上記１の方法に於いて、アクセスする過程は透明であるこ
とを特徴とする方法。
６．  上記１の方法が更に、
該代行電子システムを通して完了された購入処理の記録を編集する過程と、
該編集された記録により順序付けられたマーチャントのランクの少なくとも１
つのリストを提示する過程とを具備することを特徴とする方法。
７．  上記１の方法が更に、該少なくとも１つの電子商取引シス
テムから該代行電子システムを通して提供される情報を制御する過程を具備する
ことを特徴とする方法。
８．  上記７の方法に於いて、該制御する過程は、
データ流れをモニターする過程と、
該少なくとも１つの電子商取引システムから転送されるデータ流れについてパ
ターン認識を行う過程と、
該データ流れのコンテントを決定する過程と、
該コンテントに応答して該少なくとも１つの電子商取引システムから提供され
る情報を制御する過程を備えることを特徴とする方法。
９．  上記８の方法に於いて、制御する過程は、該データ流れ内
に追加的情報を挿入する過程と、該データ流れ内の情報を置換する過程と、該デ
ータ流れ内の情報をフイルターする過程と、そして該データ流れから情報を除去
する過程から成るグループから選択された少なくとも１つの動作を有することを
特徴とする方法。
１０．  上記７の方法に於いて、該制御する過程は
ユーザーに、該ユーザーの実際の電子メールアドレスに対し写像された代行電
子メールアドレスを割り当てる過程と、
該実際の電子メールアドレスの要求に応答して該少なくとも１つの電子商取引
システムへ該代行電子メールアドレスを提供する過程と、
該少なくとも１つの電子商取引システムから受信された電子メールをフイルタ
ーしそして分類する過程とを備えており、該代行電子システムの微妙な情報は除
去され、そして該制御する過程は又、
該フイルターされた電子メールを該ユーザーの該実際の電子メールアドレスへ
送る過程を備えることを特徴とする方法。
１１．  上記１の方法が更に、該少なくとも１つのクレデイット
勘定用の処理を調整する過程を具備しており、調整する過程は、
該少なくとも１つの代行勘定と少なくとも１つの対応する購入処理記録との少
なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とを備えることを特徴とする方法。
１２．  上記１の方法に於いて、少なくとも１つの購入処理を完
了するために借りとなる額を決定する過程が、
該少なくとも１つの購入処理を完了するために借りとなる合計額を決定する過
程と、
クーポン、マーチャントインセンチブ、そして代行システムインセンチブから
成るグループから選択された適用可能なクレデイット値を決定する過程と、そし
て、
該借りとなる額を得るために該借りとなる合計額から該適用可能なクレデイッ
ト値を引き算する過程とを備えることを特徴とする方法。
１３．  上記１の方法に於いて、少なくとも１つのクレデイット
勘定を選択する過程が該少なくとも１つのクレデイット勘定の該利用可能なクレ
デイットが該少なくとも１つの購入処理の購入額をカバーするのに充分であるか
どうかを決定する過程を備えることを特徴とする方法。
１４．  上記１の方法に於いて、フアンドを振り替える過程が、
該少なくとも１つの代行勘定の差引残高が該借りとなる額をカバーするに充分
かどうかを決定する過程と、そして
もし該差引残高が充分でないならば、該少なくとも１つの代行勘定の差引残高
を増加する過程を備えており、該増加する過程は複数のフアンド源からフアンド
を受け、総計する過程を有することを特徴とする方法。
１５．  電子商取引処理の代行制御用システムが、
少なくとも１つのクライアントコンピユータと、少なくとも１つの金融システ
ムと、そして少なくとも１つのユーザー勘定を有する少なくとも１つのデータベ
ースとの間に接続された代行ウエブサイトと、
該少なくとも１つのデータベースと、該少なくともクライアントコンピユータ
と、そして少なくとも１つの電子マーチャントシステムとの間に接続された少な
くとも１つのプロキシサーバーとを具備してり、少なくとも１つの購入処理は該
少なくとも１つのプロキシサーバーを通して該少なくとも１つのクライアントブ
ラウザーと該少なくとも１つの電子マーチャントシステムとの上にサポートされ
ており、該少なくとも１つの購入処理用支払いは該少なくとも１つのユーザー勘
定からのフアンドをロードされた代行フアンド源を使用してフアンドされること
を特徴とする電子商取引処理の代行制御用システム。
１６．  上記１５のシステムが更に、該少なくとも１つのユーザ
ーのフアンド源と該ユーザーに付随する情報とについてスコア付けしてフロード
検出を行うための少なくとも１つのフロード検出装置を具備することを特徴とす
るシステム。
１７．  上記１５のシステムに於いて、該少なくとも１つのユー
ザー勘定は該少なくとも１つのユーザーフアンド源から該少なくとも１つのユー
ザー勘定内にフアンドを入れることによりフアンドされ、該少なくとも１つのユ
ーザーフアンド源はクレデイットカード、チェック、為替、商品券、インセンチ
ブ、オンライン電子通貨、現金自動預け払い機、そしてストアドバリューカード
から成るグループから選択された少なくとも１つのフアンド源を含むことを特徴
とするシステム。
１８．  上記１７のシステムに於いて、オンライン電子通貨を使
用してフアンドする過程は、
少なくとも１つのネットワーク上の複数の場所での複数の勘定内の複数のオン
ライン電子通貨差引残高を決定する過程と、
該複数の勘定からのオンライン電子通貨の額を総計する過程とを有することを
特徴とするシステム。
１９．  上記１５のシステムに於いて、該少なくとも１つのプロ
キシサーバーは、
該システムを通して完了された購入処理の記録を編集し、
該編集された記録により順序付けされた電子マーチャントシステムランクの少
なくとも１つのリストを該ユーザーに提示することを特徴とするシステム。
２０．  上記１５のシステムに於いて、該少なくとも１つのプロ
キシサーバーは該少なくとも１つの電子マーチャントシステムから該代行ウエブ
サイトを通して提供される情報を制御しており、該少なくとも１つのプロキシサ
ーバーは少なくとも１つのショッピングプロキシサーバーと少なくとも１つのイ
ーメールプロキシサーバーとを有することを特徴とするシステム。
２１．  上記２０のシステムに於いて、該制御する過程は、
データ流れをモニターする過程と、
該少なくとも１つの電子マーチャントシステムから転送されるデータ流れにつ
いてパターン認識を実行する過程と、
該データ流れのコンテントを決定する過程と、
該コンテントに応答して該少なくとも１つの電子マーチャントシステムから該
少なくとも１つのクライアントブラウザーへ提供される情報を制御する過程とを
有することを特徴とするシステム。
２２．  上記２１のシステムに於いて、制御する過程は、該デー
タ流れ内に追加的情報を挿入する過程と、該データ流れ内の情報を置換する過程
と、該データ流れ内の情報をフイルターする過程と、そして該データ流れから情
報を除去する過程とから成るグループから選択された少なくとも１つの動作を有
することを特徴とするシステム。
２３．  上記２０のシステムに於いて、該制御する過程は、
該ユーザーに、該ユーザーの実際の電子メールアドレスに対し写像された代行
電子メールアドレスを割り当てる過程と、
該実際の電子メールアドレスの要求に応答して該少なくとも１つの電子マーチ
ャントシステムへ該代行電子メールアドレスを提供する過程と、
該少なくとも１つの電子マーチャントシステムから受信された電子メールをフ
イルターしそして分類する過程とを備えており、該代行制御用に該システムの微
妙な情報は除去され、そして該制御する過程は又、
該フイルターされた電子メールを該ユーザーの該実際の電子メールアドレスへ
送る過程を備えることを特徴とするシステム。
２４．  上記１５のシステムに於いて、該少なくとも１つのプロ
キシサーバーは該少なくとも１つのユーザー勘定用処理の調整しており、調整す
る過程は、
該少なくとも１つのユーザー勘定と少なくとも１つの対応する購入処理記録と
の少なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とを備えることを特徴とするシステム。
２５．  上記１５のシステムに於いて、該少なくとも１つのプロ
キシサーバーは該少なくとも１つの購入処理を完了するために借りとなる額を、
該少なくとも１つの購入処理を完了するために借りとなる合計額を決定し、
クーポン、マーチャントインセンチブ、そして代行システムインセンチブから
成るグループから選択された適用可能なクレデイット値を決定し、そして、
該借りとなる額を得るために該借りとなる合計額から該適用可能なクレデイッ
ト値を引き算することにより決定することを特徴とするシステム。
２６．  上記１５のシステムに於いて、該少なくとも１つの購入
用の支払い過程は、該代行のフアンド源の該利用可能なクレデイットが該少なく
とも１つの購入処理の購入額をカバーするのに充分であるかどうかを決定する過
程を有することを特徴とするシステム。
２７．  上記１５のシステムに於いて、該少なくとも１つの購入
処理用の支払い過程は、
該少なくとも１つのユーザー勘定の差引残高が該借りとなる額をカバーするに
充分かどうかを決定する過程と、そして
もし該差引残高が充分でないならば、該少なくとも１つのユーザー勘定の差引
残高を増加する過程を備えており、該増加する過程は複数のフアンド源からフア
ンドを受け、総計する過程を有することを特徴とするシステム。
２８．  少なくとも１つのクライアントコンピユータと少なくとも
１つの電子マーチャントシステムの間に接続されたデータベースと、代行ウエブ
サイトとを有する少なくとも１つの代行処理システムと、少なくとも１つの金融
システムと少なくとも１つの透明なプロキシサーバーとを具備する電子商取引処
理を制御する装置に於いて、該少なくとも１つの代行処理システムは、
該データベース内の少なくとも１つの代行勘定をフアンドし、
該少なくとも１つのクライアントコンピユータを使用して該少なくとも１つの
電子マーチャントシステムからの購入用品目の選択を可能にするために該少なく
とも１つの電子マーチャントシステムへアクセスし、
少なくとも１つの代行クレデイット勘定を選択し、
該少なくとも１つの電子マーチャントシステム上での少なくとも１つの購入処
理を完了するために借りとなる額を決定し、
該借りとなる額に等しいフアンドを該少なくとも１つの代行勘定から該少なく
とも１つの代行クレデイット勘定へ振り替え、そして
該少なくとも１つの代行クレデイット勘定を使用して該少なくとも１つの購入
処理を行うよう構成されていることを特徴とする電子商取引処理を制御するため
の装置。
２９．  上記２８の装置に於いて、該少なくとも１つの代行処理
システムは更に少なくとも１つのフアンド源についてスコア付けしてフロード検
出を行うよう構成されていることを特徴とする装置。
３０．  上記２８の装置に於いて、フアンドする過程が少なくと
も１つのフアンド源から該少なくとも１つの代行勘定内へフアンドを入れる過程
を有しており、該少なくとも１つのフアンド源は、クレデイットカード、チェッ
ク、為替、商品券、インセンチブ、オンライン電子通貨、現金自動預け払い機、
そしてストアドバリューカードから成るグループから選択された少なくとも１つ
のフアンド源を有することを特徴とする装置。
３１．  上記３０の装置に於いて、オンライン電子通貨を使用し
てフアンドする過程が、
少なくとも１つのネットワーク上の複数の場所での複数の勘定内の複数のオン
ライン電子通貨差引残高を決定する過程と、
該複数の勘定からオンライン電子通貨の額を総計する過程とを有することを特
徴とする装置。
３２．  上記２８の装置に於いて、該少なくとも１つの代行処理
システムが更に、
該代行電子システムを通して完了された購入処理の記録を編集し、
該編集された記録により順序付けされたマーチャントランクの少なくとも１つ
のリストを該ユーザーに提示するよう構成されることを特徴とす装置。
３３．  上記２８の装置に於いて、該少なくとも１つの代行処理
システムが更に、該少なくとも１つの透明プロキシサーバーを使用して該少なく
とも１つの電子商取引システムから該代行電子システムを通して提供された情報
を制御するよう構成されており、該少なくとも１つの透明プロキシサーバーは少
なくとも１つのショッピングプロキシサーバーと少なくとも１つのイーメールプ
ロキシサーバーとを有することを特徴とする装置。
３４．  上記３３の装置に於いて、該情報の制御は、
データ流れをモニターする過程と、
該少なくとも１つの電子商取引システムから転送されるデータ流れについてパ
ターン認識を実行する過程と、
該データ流れのコンテントを決定する過程と、
該コンテントに応答して該少なくとも１つの電子商取引システムから該少なく
とも１つのクライアントコンピユータへ提供される情報を制御する過程とを有す
ることを特徴とする装置。
３５．  上記３４の装置に於いて、情報を制御する過程は、該デ
ータ流れ内に追加的情報を挿入する過程と、該データ流れ内の情報を置換する過
程と、該データ流れ内の情報をフイルターする過程と、そして該データ流れから
情報を除去する過程とから成るグループから選択された少なくとも１つの動作を
有することを特徴とする装置。
３６．  上記３３の装置に於いて、該情報の制御は、
ユーザーに、該ユーザーの実際の電子メールアドレスに対し写像された代行電
子メールアドレスを割り当てる過程と、
該実際の電子メールアドレスの要求に応答して該少なくとも１つの電子商取引
システムへ該代行電子メールアドレスを提供する過程と、
該少なくとも１つの電子商取引システムから受信された電子メールをフイルタ
ーしそして分類する過程とを備えており、該代行電子システムの微妙な情報は除
去され、そして該情報の制御は又、
該フイルターされた電子メールを該ユーザーの該実際の電子メールアドレスへ
送る過程を備えることを特徴とする装置。
３７．  上記２８の装置に於いて、該少なくとも１つの代行処理
システムは更に、
該少なくとも１つの代行勘定と少なくとも１つの対応する購入処理記録との少
なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とにより該少なくとも１つのクレデイット勘定用処理の調整するよう構成
されていることを特徴とする装置。
３８．  上記２８の装置に於いて、該少なくとも１つの購入処理
を完了するために借りとなる額を決定する過程は、
該少なくとも１つの購入処理を完了するために借りとなる合計額を決定する過
程と、
クーポン、マーチャントインセンチブ、そして代行システムインセンチブから
成るグループから選択された適用可能なクレデイット値を決定する過程と、そし
て、
該借りとなる額を得るために該借りとなる合計額から該適用可能なクレデイッ
ト値を引き算する過程とを有することを特徴とする装置。
３９．  上記２８の装置に於いて、少なくとも１つの代行クレデ
イット勘定を選択する過程は、該少なくとも１つの代行のクレデイット勘定の該
利用可能なクレデイットが該少なくとも１つの購入処理の購入額をカバーするの
に充分であるかどうかを決定する過程を有することを特徴とする装置。
４０．  上記２８の装置に於いて、フアンドを振り替える過程が
、
該少なくとも１つの代行クレデイット勘定の差引残高が該借りとなる額をカバ
ーするに充分かどうかを決定する過程と、そして
もし該差引残高が充分でないならば、該少なくとも１つの代行クレデイット勘
定の差引残高を増加する過程を備えており、該増加する過程は複数のフアンド源
からフアンドを受け、総計する過程を有することを特徴とする装置。
４１．  処理システムで実行される時、該システムに電子商取引処
理の制御を行わせる実行可能な命令を有するコンピユータ読み出し可能な媒体に
於いて、該制御が、
代行電子システム内の少なくとも１つの代行勘定をフアンドする過程と、
該代行電子システムを通して少なくとも１つの電子商取引システムにアクセス
する過程と、
該少なくとも１つの電子商取引システムからの購入用に少なくとも１つの品目
を選択する過程と、
該代行電子システム内の少なくとも１つのクレデイット勘定を選択する過程と
、
該少なくとも１つの電子商取引システム上での少なくとも１つの購入処理を完
了するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする、処理システムで実行される時、
該システムに電子商取引処理の制御を行わせる実行可能な命令を有するコンピユ
ータ読み出し可能な媒体。
４２．  上記４１のコンピユータ読み出し可能な媒体に於いて、
フアンドする過程が少なくとも１つのフアンド源から該少なくとも１つの代行勘
定内へフアンドを入れる過程を有しており、該少なくとも１つのフアンド源は、
クレデイットカード、チェック、為替、商品券、インセンチブ、オンライン電子
通貨、現金自動預け払い機、そしてストアドバリューカードから成るグループか
ら選択された少なくとも１つのフアンド源を有しており、オンライン電子通貨を
使用してフアンドする過程が複数の勘定内の複数のオンライン電子通貨の差引残
高を決定する過程と、該複数の勘定からのオンライン電子通貨の額を総計する過
程とを有することを特徴とするコンピユータ読み出し可能な媒体。
４３．  上記４１のコンピユータ読み出し可能な媒体に於いて、
該制御が更に、
該代行電子システムを通して完了された購入処理の記録を編集する過程と、
該編集された記録により順序付けられたマーチャントのランクの少なくとも１
つのリストを提示する過程とを有することを特徴とするコンピユータ読み出し可
能な媒体。
４４．  上記４１のコンピユータ読み出し可能な媒体に於いて、
該制御が更に該少なくとも１つの電子商取引システムから該代行電子システムを
通して提供される情報を制御する過程を有することを特徴とするコンピユータ読
み出し可能な媒体。
４５．  上記４４のコンピユータ読み出し可能な媒体に於いて、
情報を制御する過程が、
データ流れをモニターする過程と、
該少なくとも１つの電子商取引システムから転送されるデータ流れについてパ
ターン認識を行う過程と、
該データ流れのコンテントを決定する過程と、
該コンテントに応答して該少なくとも１つの電子商取引システムから提供され
る情報を制御する過程を有することを特徴とするコンピユータ読み出し可能な媒
体。
４６．  上記４５のコンピユータ読み出し可能な媒体に於いて、
情報を制御する過程が該データ流れ内に追加的情報を挿入する過程と、該データ
流れ内の情報を置換する過程と、該データ流れ内の情報をフイルターする過程と
、そして該データ流れから情報を除去する過程から成るグループから選択された
少なくとも１つの動作を有することを特徴とするコンピユータ読み出し可能な媒
体。
４７．  上記４４のコンピユータ読み出し可能な媒体に於いて、
情報を制御する過程が
ユーザーに、該ユーザーの実際の電子メールアドレスに対し写像された代行電
子メールアドレスを割り当てる過程と、
該実際の電子メールアドレスの要求に応答して該少なくとも１つの電子商取引
システムへ該代行電子メールアドレスを提供する過程と、
該少なくとも１つの電子商取引システムから受信された電子メールをフイルタ
ーしそして分類する過程とを有しており、該代行電子システムの微妙な情報は除
去され、そして該情報を制御する過程は又、
該フイルターされた電子メールを該ユーザーの該実際の電子メールアドレスへ
送る過程を有することを特徴とするコンピユータ読み出し可能な媒体。
４８．  上記４１のコンピユータ読み出し可能な媒体に於いて、
該制御は更に該少なくとも１つのクレデイット勘定用の処理を調整する過程を有
しており、該調整する過程は、
該少なくとも１つの代行勘定と少なくとも１つの対応する購入処理記録との少
なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とを有することを特徴とするコンピユータ読み出し可能な媒体。
４９．  処理システムで実行される時、該システムに電子商取引処
理の制御をさせる実行可能な命令を含む電磁的媒体に於いて、該制御が、
代行電子システム内の少なくとも１つの代行勘定をフアンドする過程と、
該代行電子システムを通して少なくとも１つの電子商取引システムにアクセス
する過程と、
該少なくとも１つの電子商取引システムからの購入用に少なくとも１つの品目
を選択する過程と、
該代行電子システム内の少なくとも１つのクレデイット勘定を選択する過程と
、
該少なくとも１つの電子商取引システム上での少なくとも１つの購入処理を完
了するために借りとなる額を決定する過程と、
該借りとなる額に等しいフアンドを該少なくとも１つの代行勘定から該少なく
とも１つのクレデイット勘定へ振り替える過程と、そして
該少なくとも１つのクレデイット勘定を使用して該少なくとも１つの購入処理
を実行する過程とを具備することを特徴とする、処理システムで実行される時、
該システムに電子商取引処理の制御をさせる実行可能な命令を含む電磁的媒体。
５０．  上記４９の電磁的媒体に於いて、フアンドする過程が少
なくとも１つのフアンド源から該少なくとも１つの代行勘定内へフアンドを入れ
る過程を有しており、該少なくとも１つのフアンド源は、クレデイットカード、
チェック、為替、商品券、インセンチブ、オンライン電子通貨、現金自動預け払
い機、そしてストアドバリューカードから成るグループから選択された少なくと
も１つのフアンド源を有しており、オンライン電子通貨を使用してフアンドする
過程が複数の勘定内の複数のオンライン電子通貨の差引残高を決定する過程と、
該複数の勘定からのオンライン電子通貨の額を総計する過程とを有することを特
徴とする電磁的媒体。
５１．  上記４９の電磁的媒体に於いて、該制御が更に、
該代行電子システムを通して完了された購入処理の記録を編集する過程と、
該編集された記録により順序付けられたマーチャントのランクの少なくとも１
つのリストを提示する過程とを有することを特徴とする電磁的媒体。
５２．  上記４９の電磁的媒体に於いて、該制御は更に該少なく
とも１つの電子商取引システムから該代行電子システムを通して提供される情報
を制御する過程を有することを特徴とする電磁的媒体。
５３．  上記５２の電磁的媒体に於いて、情報を制御する過程が
、
データ流れをモニターする過程と、
該少なくとも１つの電子商取引システムから転送されるデータ流れについてパ
ターン認識を行う過程と、
該データ流れのコンテントを決定する過程と、
該コンテントに応答して該少なくとも１つの電子商取引システムから提供され
る情報を制御する過程を有することを特徴とする電磁的媒体。
５４．  上記５３の電磁的媒体に於いて、情報を制御する過程が
該データ流れ内に追加的情報を挿入する過程と、該データ流れ内の情報を置換す
る過程と、該データ流れ内の情報をフイルターする過程と、そして該データ流れ
から情報を除去する過程から成るグループから選択された少なくとも１つの動作
を有することを特徴とする電磁的媒体。
５５．  上記５２の電磁的媒体に於いて、情報を制御する過程が
、
ユーザーに、該ユーザーの実際の電子メールアドレスに対し写像された代行電
子メールアドレスを割り当てる過程と、
該実際の電子メールアドレスの要求に応答して該少なくとも１つの電子商取引
システムへ該代行電子メールアドレスを提供する過程と、
該少なくとも１つの電子商取引システムから受信された電子メールをフイルタ
ーしそして分類する過程とを有しており、該代行電子システムの微妙な情報は除
去され、そして該情報を制御する過程は又、
該フイルターされた電子メールを該ユーザーの該実際の電子メールアドレスへ
送る過程を有することを特徴とする電磁的媒体。
５６．  上記４９の電磁的媒体に於いて、該制御は更に該少なく
とも１つのクレデイット勘定用の処理を調整する過程を有しており、該調整する
過程は、
該少なくとも１つの代行勘定と少なくとも１つの対応する購入処理記録との少
なくとも１つの差引残高を有する代行システム元帳を保持する過程と、
該少なくとも１つの差引残高の変化に帰着する購入処理を有するクレデイット
勘定計算書元帳を周期的に受信する過程と、そして
該代行システム元帳を調節するために該クレデイット勘定計算書元帳を使用す
る過程とを有することを特徴とする電磁的媒体。